(57)【特許請求の範囲】
【請求項１】
超音波振動の発生源となる超音波振動子及び当該超音波振動子と接続されて超音波放射面から被施療部へ超音波を伝達させるホーンを有して成る超音波振動部を備え、駆動回路にて超音波振動部を発振させる駆動モードに、超音波振動部自身を発熱させる発熱モードを備え、超音波放射面に超音波伝達媒体を供給する伝達媒体供給手段を有し、伝達媒体供給手段が、超音波放射面に至る媒体流路を有し、この媒体流路を通る超音波伝達媒体に超音波振動部の熱を伝播させて加熱するものであることを特徴とする超音波発生装置。
【請求項２】
発熱モードは、駆動回路にて超音波振動部を低効率周波数で発振させて成ることを特徴とする請求項１記載の超音波発生装置。
【請求項３】
低効率周波数は、予め求めた超音波振動部のインピーダンス周波数特性に基づき設定されて成ることを特徴とする請求項２記載の超音波発生装置。
【請求項４】
発熱モードは、駆動回路での超音波振動部の駆動開始時に自動的に稼動されて成ることを特徴とする請求項１乃至３のいずれか一項に記載の超音波発生装置。
【請求項５】
超音波振動部の温度は、駆動回路での発熱モードによる超音波振動部の発振周波数が可変にされることで、調節可能にされて成ることを特徴とする請求項１乃至４のいずれか一項に記載の超音波発生装置。
【請求項６】
超音波振動部の温度は、駆動回路での発熱モード時の駆動回路への入力電力が可変にされることで、調節可能にされて成ることを特徴とする請求項１乃至４のいずれか一項に記載の超音波発生装置。
【請求項７】
超音波発生装置の周囲温度を検出する周囲温度検出手段を有し、この周囲温度検出手段の検出結果に基づいて駆動回路での発熱モードによる超音波振動部の発熱出力を変更可能にして成ることを特徴とする請求項１乃至６のいずれか一項に記載の超音波発生装置。
【請求項８】
超音波振動部の駆動環境を検出する駆動環境検出手段を有し、この駆動環境検出手段の検出結果に基づいて駆動回路で超音波振動部を駆動停止可能にして成ることを特徴とする請求項１乃至７のいずれか一項に記載の超音波発生装置。
【請求項９】
超音波振動部を補助的に加熱するための補助加熱手段を有し、補助加熱手段の駆動制御にて超音波振動部の温度を調節可能にして成ることを特徴とする請求項１乃至８のいずれか一項に記載の超音波発生装置。
【請求項１０】
超音波振動部を冷却する冷却手段を有し、冷却手段の駆動制御にて超音波振動部の温度を調節可能にして成ることを特徴とする請求項１乃至９のいずれか一項に記載の超音波発生装置。
【請求項１１】
冷却手段にペルチェ素子を用いたことを特徴とする請求項１０記載の超音波発生装置。
【請求項１２】
請求項１乃至１１のいずれか一項に記載の超音波発生装置を備えた美容装置。
【請求項１３】
請求項１乃至１１のいずれか一項に記載の超音波発生装置を備えた髪ケア装置。
【発明の詳細な説明】
【技術分野】
【０００１】
本発明は、美容装置及び髪ケア装置に用いる超音波発生装置に関するものである。
【背景技術】
【０００２】
従来から、美容装置や髪ケア装置には超音波発生装置を備えたものが知られ、超音波発生装置の超音波振動部で発生させた超音波を人体の肌や毛髪等の被施療部に対して伝播させ、この超音波によって肌を刺激させたり、肌や毛髪への処理剤の浸透を促進させたりする施療を可能にしている。
【０００３】
ところで、上記施療は被施療部を加温して行うことで施療効果を促進できることが知られており、これを狙ってたとえば特許文献１では超音波発生装置に対して超音波振動部を加熱する加熱装置を別途設けることが提案されている。
【０００４】
しかしながら、別途設けた加熱装置によると、加熱装置の設置スペースを確保するため超音波振動子、ひいては超音波発生装置が大型化する、といった問題があった。
【特許文献１】特開平７−２２２７８２号公報
【発明の開示】
【発明が解決しようとする課題】
【０００５】
本発明は上記の点に鑑みてなされたものであり、その目的とするところは、被施療部を加温させて被施療部への超音波による効果的な施療を確保できる小型の超音波発生装置、これを備えた美容装置及び髪ケア装置を提供することにある。
【課題を解決するための手段】
【０００６】
上記課題を解決するために本発明の超音波発生装置１は下記構成を有したことに特徴をする。すなわち、超音波振動の発生源となる超音波振動子５及び当該超音波振動子５と接続されて超音波放射面７から被施療部Ａへ超音波を伝達させるホーン６を有して成る超音波振動部４を備える。駆動回路１０にて超音波振動部４を発振させる駆動モードに、超音波振動部４自身を発熱させる発熱モードを備え、超音波放射面７に超音波伝達媒体Ｂを供給する伝達媒体供給手段２２を有し、伝達媒体供給手段２２が、超音波放射面７に至る媒体流路２６を有し、この媒体流路２６を通る超音波伝達媒体Ｂに超音波振動部４の熱を伝播させて加熱するものである。
【０００７】
これによると、従来技術のように加熱装置を超音波発生装置１に別個設けることなく、超音波発生装置１に元々備わる駆動回路１０による超音波振動部４への駆動制御によって、超音波による施療効率を高めるべく被施療部Ａを加温することが可能にされたものであって、被施療部Ａを超音波伝達媒体Ｂで冷却させずに、被施療部Ａを加温させて超音波による効果的な施療を確保できる超音波発生装置１を、従来に比べて小型にできる。
【０００８】
また、発熱モードは、駆動回路１０にて超音波振動部４を低効率周波数で発振させて成ることも好ましい。これによると、駆動回路１０により超音波振動部４を低効率周波数で発振させることで超音波振動部４に損失熱を発生させることができる。
【０００９】
また、低効率周波数は、予め求めた超音波振動部４のインピーダンス周波数特性に基づき設定されることが好ましい。これによると、異なる超音波振動部４に対して発熱モードを動作させる確実な低効率周波数を得ることができる。
【００１０】
また、発熱モードは、駆動回路１０での超音波振動部４の駆動開始時に自動的に稼動されることが好ましい。これによると、施療開始と共にいきなり超音波の高い刺激が加えられることを回避でき、安全性を確保して使用感を向上できる。
【００１１】
また、超音波振動部４の温度は、駆動回路１０での発熱モードによる超音波振動部４の発振周波数が可変にされることで、調節可能にされることが好ましい。また、超音波振動部４の温度は、駆動回路１０での発熱モード時の駆動回路１０への入力電力が可変にされることで、調節可能にされることが好ましい。これによると、超音波振動部４の発熱量を可変にでき、超音波発生装置１に対して超音波振動部４を加熱・冷却させる機器を別個に設けることなく超音波発生装置１の温度調節ができるから、超音波発生装置１の小型化を図ることができる。
【００１２】
また、超音波発生装置１の周囲温度を検出する周囲温度検出手段２０を有し、この周囲温度検出手段２０の検出結果に基づいて駆動回路１０での発熱モードによる超音波振動部４の発熱出力を変更可能にすることが好ましい。これによると、超音波振動部４を目標温度にするに当り、その立ち上がり時間の短縮や節電を図ることができる。
【００１３】
また、超音波振動部４の駆動環境を検出する駆動環境検出手段を有し、この駆動環境検出手段の検出結果に基づいて駆動回路１０で超音波振動部４を駆動停止可能にすることが好ましい。これによると、超音波振動部４の空運転を防止し、安全で長寿命な超音波発生装置１を実現できる。
【００１５】
また、超音波振動部４を補助的に加熱するための補助加熱手段１４を有し、補助加熱手段１４の駆動制御にて超音波振動部４の温度を調節可能にすることが好ましい。これによると、発熱モードに加えて補助加熱手段１４の動作によって超音波振動部４のすばやい温度上昇を可能にできる。
【００１６】
また、超音波振動部４を冷却する冷却手段１６を有し、冷却手段１６の駆動制御にて超音波振動部４の温度を調節可能にすることが好ましい。これによると、超音波振動部４の温度が上昇し過ぎた場合にも超音波振動部４を冷却して目標温度の維持を図ることができ、更に発熱モードと交互に動作させることで、被施療部Ａに温冷刺激を付与して血行を促進させて施療効果を高めることができる。
【００１７】
また、冷却手段１６にペルチェ素子を用いることが好ましい。これによると、簡単且つコンパクトに冷却手段１６を構成できる。
【００１８】
また、上述の超音波発生装置１を美容装置２や髪ケア装置３に備えるのが好ましい。これによると、上記超音波発生装置１の利点を美容装置２や髪ケア装置３にて発揮させることができる。
【発明の効果】
【００１９】
本発明にあっては、被施療部を加温させて被施療部への超音波による効果的な施療を確保しつつも超音波発生装置を小型にできる、という利点を有する。
【発明を実施するための最良の形態】
【００２０】
以下、本発明を添付図面に示す実施形態に基いて説明する。
【００２１】
本例の超音波発生装置１は、図２（ａ）のように超音波を肌に伝達させて施療を行う美容装置２や、図２（ｂ）（ｃ）のように超音波を毛髪に伝達させて毛髪処理剤の浸透を促進させる施療を行う髪ケア装置３に用いられるものであり、超音波振動の発生源となる超音波振動子５と、該超音波振動子５と接続されて超音波放射面７から肌や毛髪である被施療部Ａへ超音波を伝達させるホーン６とを有して成る超音波振動部４を備えている。
【００２２】
この超音波振動部４は、上記美容装置２や髪ケア装置３では、使用者の把持部位となる装置本体８の先端に設けた施療部位に超音波放射面７を露出させるように配設されている。詳しくは、図２（ｂ）（ｃ）の髪ケア装置３では、装置本体８は基端が枢支されて開閉自在にされる一対の装置半体８ａを有しており、毛髪を挟持する一方の挟持面に超音波振動部４の超音波放射面７が臨むように配置されている。なお、他方の挟持面には台状の髪受け部９が形成されている。
【００２３】
超音波振動部４において、超音波振動子５はＰＺＴなどの圧電材料５ａを電極５ｂで挟んだ構造を有し、通電時に圧電材料５ａが膨縮駆動して超音波振動を発生可能にしてあり、またホーン６は用途に応じて任意形状にされる超音波放射面７を有する。詳しくは、ホーン６は円盤状もしくはキャップ状に形成されるのが一般的であるが、矩形状や楕円状、雫状、瓢箪状などの任意の形状にすることもできる。また、ホーン６にはアルミニウム系やチタン系、ＳＵＳ系などの金属を好んで使用できる。超音波振動部４には、超音波振動子５とホーン６とがボルトで積層固定されたランジュバン型（図３（ｂ））、音波振動子とホーン６とが接着剤で固定された接着型（図３（ａ））を利用できる。なお図中１１は駆動回路１０からの給電線である。
【００２４】
更に言うと、積層した超音波振動子５とホーン６とはその厚み方向の超音波振動においてλ／２の整数倍の定在波を形成するのが好ましく、特にホーン６が円盤状もしくはキャップ状をしている場合には、超音波振動子５にはλ／２の奇数倍の定在波を、ホーン６にはλ／２の偶数倍の定在波をそれぞれ形成するのが望ましく、また超音波振動子５とホーン６との接続面は振動振幅における定在波の腹面であることが望ましい。なお表現の便宜上、図面では超音波振動の振幅を本来の縦波を横波に変換して記述し、また超音波振動の伝達方向を矢印の方向で示すと共に、エネルギの大きさを矢印の大きさで示すこととしている。なお、ボルト締めランジュバン型の超音波振動子５ではその厚み寸法は波長に因らないものである。
【００２５】
上記超音波振動部４は装置本体８に内蔵した駆動回路１０にて発振駆動される。そして、本例では、駆動回路１０を介して行う超音波振動部４の駆動モードには、通常周波数で超音波振動部４を振動させる超音波施療モードと、超音波振動部４自身を発熱させる発熱モードとが、切替可能にして備えられている。
【００２６】
超音波施療モードとしては、超音波振動部４を通常周波数（発振周波数範囲における高効率周波数）で振動させる駆動モードが採用されている。また、発熱モードとしては、超音波振動部４を発振周波数範囲における低効率周波数で発振させる駆動モードが採用されている。上記高効率周波数や低効率周波数は予め求めた超音波振動部４のインピーダンス周波数特性に基づき設置することができる。
【００２７】
なお、超音波振動部４のインピーダンス周波数特性は、図４のように横軸に周波数を縦軸にインピーダンスをとったグラフで表すことができる。ここで、インピーダンスが最も低い点が共振周波数であり、インピーダンスが最も高い点が反共振周波数であり、共振周波数と反共振周波数との間で発振させるのが最も効率が高く、すなわちこの範囲で高効率周波数を設定できる。また、共振周波数よりも低い周波数、または反共振周波数よりも高い周波数の範囲では急激に効率が落ち込み、やがては共振しなくなってしまうのであって、すなわちこの範囲で低効率周波数を設定できる。
【００２８】
詳しくは、通常用いられる超音波振動部４にあって、超音波施療モード（高効率周波数での駆動）時にはその効率（いわゆる電気−音響変換効率）は９０％程度を期待できる。一方、少なくとも超音波振動部４で超音波振動を行える周波数領域の、共振周波数より低い周波数領域や反共振周波数より高い周波数領域では、その効率は約２０％程度まで落ち込むものである。図１のように、たとえば超音波振動部４を駆動回路１０を介して５Ｗの入力エネルギーで駆動させる場合、効率が９０％であれば４．５Ｗが超音波エネルギに変換されて残りの０．５Ｗが損失熱となり、効率が２０％であれば１Ｗが超音波エネルギに変換され残りの４Ｗが損失熱となる。
【００２９】
すなわち、本例の発熱モードは、故意に効率の低い領域で超音波振動部４を発振させることで発生する損失熱を利用して超音波振動部４自身を発熱させるといった方式で、実現したものである。したがって、超音波による施療効率を高めるべく被施療部Ａを加温することが、従来技術のように加熱装置を超音波発生装置１に別個に設けることなく、超音波発生装置１に元々備わる駆動回路１０（詳しくは、駆動回路１０に超音波振動部４を低効率周波数で発振させる機能が設けられる）によって簡単且つ低コストで可能にされたものであって、従来に比べて超音波発生装置１、ひいては美容装置２や髪ケア装置３を小型にできたものである。
【００３０】
なお、発熱モードによる超音波振動部４の目標温度は、超音波発生装置１を備えた美容装置２では４３℃以下で、好ましくは４０℃程度に設定されるのが好ましく、超音波発生装置１を備えた髪ケア装置３では５０℃以上、好ましくは５０℃強程度に設定されるのが好ましい。肌を被施療部Ａとする美容装置２では、発熱モードで４０℃程度にされた超音波振動部４にて肌を加温すると、肌が熱の作用により血行促進されたり体内をマッサージできたりし、肌を引き締める、肌に塗布した剤に含有した美白成分を肌に浸透させる、といった超音波による施療を効果的に行うことができる。また、毛髪を被施療部Ａとする髪ケア装置３では、発熱モードで５０℃程度にされた超音波振動部４にて毛髪を加温すると、熱の作用で開いたキューティクルに毛髪処理剤を浸透させる、熱の作用による毛髪内の結合の切断や融合を促進させる、といった超音波による施療を効果的に行うことができる。
【００３１】
ここで、発熱モードによって得られる超音波振動部４の温度は、下記のように可変制御することができる。たとえば図５のように駆動回路１０に超音波振動部４の発振周波数を可変にする周波数可変部１２を設けたり、また図６のように駆動回路１０に超音波振動部４への入力電力を可変にする入力電力可変部１３を設けることで、調節制御ができる。前者（図５）は、周波数可変部１２にて超音波振動部４を低効率周波数で発振させたり高効率周波数で発振させたり適宜切り替えることで、超音波振動部４で発生させる熱エネルギー量を可変制御できて超音波振動部４の温度調節ができる。後者（図６）は、入力電力可変部１３にて超音波振動部４への入電電力を制御することで、超音波振動部４で発生させる熱エネルギー量を可変制御できて超音波振動部４の温度調節ができる。叙述のように周波数可変部１２や入力電力可変部１３を駆動回路１０に適用した場合には、超音波発生装置１に対して超音波振動部４を加熱・冷却させる機器を別個に設けることなく、超音波振動部４での発熱量を可変にできて超音波振動部４の温度調節が可能にできたものであり、超音波発生装置１の小型化を図ることができる。
【００３２】
また、図７に示すように、超音波振動部４を補助的に加熱するための熱線ヒータなどの補助加熱手段１４を備え、超音波振動部４の温度を調節可能にするべく駆動回路１０に補助加熱手段制御部１５を設けることも好ましい。補助加熱手段１４は超音波振動部４に沿設して効率良く超音波振動部４を加熱可能にするのが良い。超音波振動部４は駆動回路１０での発熱モードによる発熱に加えて、補助加熱手段制御部１５による補助加熱手段１４の駆動によっても加熱され、超音波振動部４の温度上昇に使用する熱量が不足する場合など、超音波振動部４のすばやい温度上昇を可能にできて有効である。
【００３３】
また、図８に示すように、超音波振動部４を冷却するためのペルチェ素子などの冷却手段１６を備え、超音波振動部４の温度を調節可能にするべく駆動回路１０に冷却手段制御部１７を設けることも好ましい。冷却手段１６は超音波振動部４のホーン６に沿設して効率良く超音波振動部４を冷却可能にするのが良い。この冷却手段１６によると、冷却手段制御部１７の制御に基づいた駆動によって、超音波振動部４の温度が上昇し過ぎた場合に超音波振動部４の温度を低下できて、目標温度の維持を図ることができる。周囲温度が高くて自然冷却では超音波振動部４の温度低下に時間がかかる場合などに特に有効である。なお冷却手段１６は冷たい金属や樹脂等の冷熱部材を被施療部Ａに当てる機構で構成してもよく、冷却手段１６での冷却温度は好ましくは１０℃以下程度が良く、空気中の水分が凍結しない温度に制御することが望ましい。
【００３４】
更に言うと、生体においては温刺激と冷刺激を交互に繰り返すことにより血行が促進される性質があり、たとえば駆動回路１０の駆動モードに冷却手段１６による冷却モードを設け、発熱モードでの超音波振動部４の温度上昇と、冷却モードでの超音波振動部４の温度低下とを交互に繰り返し行わせることで、被施療部Ａに効果的な血行促進を図り、超音波施療モードでの超音波による美容効果を高めるようにできる。冷却モードと発熱モードとを交互に繰り返すのみの動作制御が行われてもよく、この場合でも被施療部Ａの血行促進による美容効果を期待できる。なお、図８（ｂ）（ｃ）には駆動パターンの一例を示す。
【００３５】
また、本例の超音波発生装置１では、駆動回路１０にて超音波振動部４を一定の駆動パターンに従うように駆動制御しているが、上記発熱モードは超音波振動部４の駆動開始時（駆動パターンの開始時）に自動的に稼動するようにされている。つまり、発熱モードにて被施療部Ａを加温させた後に、超音波施療モードに切り替えがされて超音波による効果的な施療ができるようにしてある。発熱モードでは超音波振動部４で多大な損失熱を発生させているから発振具合は小さく、施療者には超音波の低い刺激から施療を開始できるのであり、つまり施療開始と共にいきなり超音波の高い刺激が加えられることを回避でき、安全性を確保して使用感を向上できる。
【００３６】
ここで、発熱モードから超音波施療モードへの切り替えは、たとえば図９のように駆動回路１０にタイマー制御部１８を設けたり、図１０のように駆動回路１０に温度制御部１９を設けることで行うことができる。
【００３７】
前者（図９）では、タイマー制御部１８によって超音波振動部４の駆動開始から所定時間経過後に発熱モードから超音波施療モードに駆動モードが自動的に切り替わるようにしてある。詳しくは、予め設定した低効率周波数で超音波振動部４を駆動させる場合、時間経過と超音波振動部４の温度上昇との関係を予め取得し、超音波振動部４が所定温度（たとえば美容装置２であれば４０℃程度、髪ケア装置３であれば５０℃程度が好ましい）に達するまでの時間をタイマー制御部１８に記憶させ、超音波振動部４の駆動開始から該タイマー制御部１８に記憶させた時間までを発熱モードで駆動させ、その後超音波施療モードで駆動するようにしてある。
【００３８】
後者（図１０）では、超音波振動部４に設けた温度検知部の検知結果に基づき温度制御部１９で発熱モードから超音波施療モードに駆動モードが自動的に切り替わるようにしてある。詳しくは、発熱モードによって超音波振動部４の温度が所定温度（たとえば美容装置２であれば４０℃程度、髪ケア装置３であれば５０℃程度が好ましい）に達したことを温度検知部で検知したタイミングで、温度制御部１９によって発熱モードから超音波施療モードに駆動モードが自動的に切り替わるようにしてある。なお、温度検知部には熱電対、サーミスタなどの温度センサを好適に利用できる。
【００３９】
更に言うと、一旦超音波施療モードに移行した後に、超音波振動部４の温度が施療を行うに適さない低い温度になったことを温度検知部で検知した場合に発熱モードに切り替える機能を温度制御部１９に設けてもよい。これによると、被施療部Ａを適宜施療に適する温度に維持できて超音波による効果的な施療を断続的に施すようにできる。
【００４０】
また、図１１に示すように、超音波発生装置１にその周囲温度を検出するための周囲温度検出手段２０を備え、この周囲温度検出手段２０の検出結果に基づいて発熱モードでの超音波振動部４の発熱出力を可変にする発熱出力可変機能を駆動回路１０に設けることも好ましい。これによると、たとえば周囲温度が氷点下などに近く目標温度との間に大きな開きがある場合には極低効率周波数や高い入力電力で超音波振動部４を発振させて温度上昇スピードを上げてすみやかに目標温度に到達するような制御を行ったり、たとえば周囲温度が該目標温度に近い場合には発熱モードを省略する制御を行ったりできるのであり、つまり超音波振動部４を目標温度にするに当りその立ち上がり時間の短縮や節電を図ることができる。なお、周囲温度検出手段２０を構成する温度センサは、美容装置２や髪ケア装置３の装置本体８における把持した手が触れたり等の外乱要因の少ない箇所（たとえば装置本体８の内部や基端部）に設けるのがよい。
【００４１】
ここで、超音波発生装置１で行う超音波施療は、通常、ホーン６と被施療部Ａとの間に超音波伝達媒体Ｂを介在させて行うものである。これにより、被施療部Ａに超音波振動部４から超音波が効率よく伝達されて良好な超音波施療を確保できるのみならず、超音波振動部４で発生した超音波を超音波振動部４外に確実に伝播させ、超音波振動部４で異常な振動振幅が発生したり、振動に起因した摩擦熱にてキュリー温度を超えることで超音波振動子５の特性が失われるといった装置破損の恐れも回避される。
【００４２】
そこで、図１２のように、超音波振動部４の駆動環境を検出する駆動環境検出手段を備え、この駆動環境検出手段の検出結果に基づいて超音波振動部４を駆動停止する機能を駆動回路１０に設けることも好ましい。駆動環境検出手段は、超音波振動部４が超音波を伝播できる被施療部Ａや超音波伝達媒体Ｂにある程度接触した状態であることを検知できるコンタクトスイッチや、被施療部Ａに接したときの温度を検知する温度検知センサや、超音波伝達媒体Ｂに接したときの水分を検知する水分検知センサ、または超音波振動部４にかかる負荷（図１２（ｃ）のようなインピーダンス周波数特性の変化から電圧や電流、位相差）を検知する負荷状態検知部２１で構成することができる。駆動環境検出手段にて異常を検知した際には駆動回路１０で超音波振動部４の駆動停止を行わせるのである。これにより、超音波振動部４の空運転を防止し、安全で長寿命な超音波発生装置１を実現できる。
【００４３】
また、図１３のように、ホーン６の超音波放射面７に超音波伝達媒体Ｂを供給する伝達媒体供給手段２２を備え、伝達媒体供給手段２２にて供給する超音波伝達媒体Ｂを超音波振動部４の熱によって加熱可能にすることも好ましい。伝達媒体供給手段２２は、装置本体８に配設した貯留タンク２３に超音波伝達媒体Ｂを補充可能に貯留し、貯留タンク２３から超音波放射面７に至る媒体流路２６を超音波振動部４の内部や超音波振動部４に隣接させて配置してあり、媒体流路２６を通る超音波伝達媒体Ｂに超音波振動部４の熱を伝播させて加温可能にしてある。なお、伝達媒体供給手段２２に備える超音波伝達媒体Ｂの超音波放射面７への送付機構としては、超音波振動部４の熱による超音波伝達媒体Ｂの膨張作用や、圧電ポンプ及びアクチュエータポンプなどの小型のポンプ機構２４を利用することができる。図中２５は駆動回路１０に設けたポンプ制御部である。また、超音波振動部４の熱は、発熱モードによる超音波振動部４の発熱を利用するのが好ましいが、補助加熱手段１４にて加熱された超音波振動部４の熱を利用することもできる。超音波伝達媒体Ｂは主に水分からできており温度が低い場合があるが、上記伝達媒体供給手段２２によると音波振動部の熱によって加温された超音波伝達媒体Ｂを被施療部Ａとホーン６の超音波放射面７との間に供給でき、被施療部Ａを超音波伝達媒体Ｂで冷却させずに効果的な施療を施すようにできる。
【図面の簡単な説明】
【００４４】
【図１】本発明の実施形態の例の超音波発生装置の動作を説明する概念図である。
【図２】（ａ）は同上の超音波発生装置を備えた美容装置の概略側面図であり、（ｂ）は同上の超音波発生装置を備えた髪ケア装置の概略側面図であり、（ｃ）は（ｂ）の正面図である。
【図３】（ａ）は接着型の超音波振動部の説明図であり、（ｂ）はランジュバン型の超音波振動部の説明図である。
【図４】同上の発熱モードと超音波施療モードとの関係を説明するための、超音波振動部のインピーダンス周波数特性を示すグラフである。
【図５】実施形態の更に他例である周波数可変部を備えた超音波発生装置を説明するものであり、（ａ）は該超音波発生装置を備えた美容装置の概略側面図であり、（ｂ）は該超音波発生装置を備えた髪ケア装置の概略側面図である。
【図６】実施形態の更に他例である入力電力可変部を備えた超音波発生装置を説明するものであり、（ａ）は該超音波発生装置を備えた美容装置の概略側面図であり、（ｂ）は該超音波発生装置を備えた髪ケア装置の概略側面図である。
【図７】実施形態の更に他例である補助加熱手段を備えた超音波発生装置を説明するものであり、（ａ）は該超音波発生装置を備えた美容装置の概略側面図であり、（ｂ）は該超音波発生装置を備えた髪ケア装置の概略側面図である。
【図８】実施形態の更に他例である冷却手段を備えた超音波発生装置を説明するものであり、（ａ）は該超音波発生装置を備えた美容装置の概略側面図であり、（ｂ）（ｃ）は駆動パターンの各例を示すフローチャートである。
【図９】実施形態の更に他例であるタイマー制御部を備えた超音波発生装置を説明するものであり、（ａ）は該超音波発生装置を備えた美容装置の概略側面図であり、（ｂ）は該超音波発生装置を備えた髪ケア装置の概略側面図である。
【図１０】実施形態の更に他例である温度制御部を備えた超音波発生装置を説明するものであり、（ａ）は該超音波発生装置を備えた美容装置の概略側面図であり、（ｂ）は該超音波発生装置を備えた髪ケア装置の概略側面図である。
【図１１】実施形態の更に他例である周囲温度検出手段を備えた超音波発生装置を説明するものであり、（ａ）は該超音波発生装置を備えた美容装置の概略側面図であり、（ｂ）は該超音波発生装置を備えた髪ケア装置の概略側面図である。
【図１２】実施形態の更に他例である駆動環境検出手段を備えた超音波発生装置を説明するものであり、（ａ）は該超音波発生装置を備えた美容装置の概略側面図であり、（ｂ）は該超音波発生装置を備えた髪ケア装置の概略側面図であり、（ｃ）は超音波振動部への負荷の有無によるインピーダンス周波数特性の変化を説明するグラフである。
【図１３】実施形態の更に他例である伝達媒体供給手段を備えた超音波発生装置を説明するものであり、（ａ）は該超音波発生装置を備えた美容装置の概略側面図であり、（ｂ）は該超音波発生装置を備えた髪ケア装置の概略側面図である。
【符号の説明】
【００４５】
１  超音波発生装置
２  美容装置
３  髪ケア装置
４  超音波振動部
５  超音波振動子
６  ホーン
７  超音波放射面
１０  駆動回路
【図１】
0005118516.tif 000002
【図２】
0005118516.tif 000003
【図３】
0005118516.tif 000004
【図４】
0005118516.tif 000005
【図５】
0005118516.tif 000006
【図６】
0005118516.tif 000007
【図７】
0005118516.tif 000008
【図８】
0005118516.tif 000009
【図９】
0005118516.tif 000010
【図１０】
0005118516.tif 000011
【図１１】
0005118516.tif 000012
【図１２】
0005118516.tif 000013
【図１３】
0005118516.tif 000014